(57)【特許請求の範囲】
【請求項１】
使用状態で外側に位置し、全体が実質的に透明な第１の板状体と、
使用状態で前記第１の板状体よりも内側に該第１の板状体とほぼ平行に設置され、大きさが前記第１の板状体とほぼ同等である、全体が実質的に透明な第２の板状体と、
前記第１の板状体と前記第２の板状体との縁部付近の間に介挿され、前記両板状体を接合する粘着性を有し、シート状をなす粘着体と、
前記第１の板状体と前記第２の板状体との間に設けられ、前記第１の板状体を介して視認される装飾部と、
前記第２の板状体に付され、前記第１の板状体を介して視認される内板装飾部とを備え、
前記装飾部は、前記第１の板状体の内面に、その縁部に沿って周方向に印刷された第１の印刷部と、前記第１の印刷部の全部を覆うようにリング状をなし、前記第１の印刷部に重なって印刷され、該第１の印刷部の裏打ちとして機能する第２の印刷部とで構成され、
前記内板装飾部は、前記第２の板状体の外面の中央部に付着して設けられ、文字、記号または図形をかたどったシート状体と、前記第２の板状体の内面全体に蒸着を施してなる蒸着部と、前記蒸着部の全部を覆うように該蒸着部に重なって印刷され、前記蒸着部の裏打ちとして機能する内板印刷部とで構成され、
前記粘着体は、前記第１の板状体の縁部に沿ってリング状に配置されており、その周方向の一部が欠損した欠損部を有し、当該粘着体を前記第１の板状体側から見たとき前記第２の印刷部で覆い隠されていることを特徴とする装飾品。
【請求項２】
前記粘着体は、前記シート状体を囲っており、
前記粘着体の厚さは、前記シート状体の厚さより厚い請求項１に記載の装飾品。
【請求項３】
前記第１の印刷部は、前記第１の板状体と同心的に印刷された円形の第１の円と、該第１の円と同心的に印刷され、前記第１の円より大径の第２の円と、該第２の円の外周に沿って印刷された文字群とで構成されている請求項１または２に記載の装飾品。
【請求項４】
前記第１の印刷部の色は銀色であり、前記第２の印刷部の色は黒色である請求項１ないし３のいずれかに記載の装飾品。
【請求項５】
前記蒸着部は、模様である請求項１ないし４のいずれかに記載の装飾品。
【請求項６】
前記蒸着部の色は銀色であり、前記内板印刷部の色は黒色である請求項１ないし５のいずれかに記載の装飾品。
【請求項７】
前記第１の板状体および／または前記第２の板状体は、主として、ガラスまたはプラスチックで構成されている請求項１ないし６のいずれかに記載の装飾品。
【請求項８】
前記粘着体は、両面粘着テープで構成されている請求項１ないし７のいずれかに記載の装飾品。
【請求項９】
前記第１の板状体と前記第２の板状体との間隙距離は、前記第１の板状体または前記第２の板状体の厚さの２倍以下である請求項１ないし８のいずれかに記載の装飾品。
【請求項１０】
前記第１の板状体は、レンズとしての機能を有し、
前記第１の板状体を介して前記装飾部および前記内板装飾部が拡大して視認される請求項１ないし９のいずれかに記載の装飾品。
【請求項１１】
請求項１ないし１０のいずれかに記載の装飾品を備えたことを特徴とする時計用裏蓋。
【請求項１２】
請求項１１に記載の時計用裏蓋を備えたことを特徴とする時計。
【発明の詳細な説明】
【技術分野】
【０００１】
本発明は、装飾品、時計用裏蓋および時計に関する。
【背景技術】
【０００２】
従来の装飾品には、例えば、２枚のガラスを有する時計用カバーガラスのような装飾品がある。この装飾品（時計用カバーガラス）では、相異なる材料で構成された２枚のガラスが接着剤を介して互いに接合（接着）されている（例えば、特許文献１参照）。
しかしながら、このように接着剤を用いて２枚のガラスを接着すると、２枚のガラスの押圧により、ガラス同士の間隙に充填した接着剤が必要以上に（過剰に）広がり、例えば、前記間隙から接着剤がはみ出すという問題があった。
また、接着剤の接着状態によっては、２枚のガラスの接着が不十分となり、これらのガラスが互いに離間（剥離）することがあるという問題があった。
また、前記間隙に充填した接着剤を乾燥させなければならず、装飾品を製造するときの作業性（生産性）が低下するという問題があった。
【０００３】
【特許文献１】特開平５−３３３１６４号公報
【発明の開示】
【発明が解決しようとする課題】
【０００４】
本発明の目的は、第１の板状体と第２の板状体との接合箇所を正確に定めることができ、かつ、簡単な方法で両板状体が確実に接合された装飾品および時計用裏蓋を提供すること、また、前記時計用裏蓋を備えた時計を提供することにある。
【課題を解決するための手段】
【０００５】
このような目的は、下記の本発明により達成される。
本発明の装飾品は、使用状態で外側に位置し、全体が実質的に透明な第１の板状体と、
使用状態で前記第１の板状体よりも内側に該第１の板状体とほぼ平行に設置され、大きさが前記第１の板状体とほぼ同等である、全体が実質的に透明な第２の板状体と、
前記第１の板状体と前記第２の板状体との縁部付近の間に介挿され、前記両板状体を接合する粘着性を有し、シート状をなす粘着体と、
前記第１の板状体と前記第２の板状体との間に設けられ、前記第１の板状体を介して視認される装飾部と、
前記第２の板状体に付され、前記第１の板状体を介して視認される内板装飾部とを備え、
前記装飾部は、前記第１の板状体の内面に、その縁部に沿って周方向に印刷された第１の印刷部と、前記第１の印刷部の全部を覆うようにリング状をなし、前記第１の印刷部に重なって印刷され、該第１の印刷部の裏打ちとして機能する第２の印刷部とで構成され、
前記内板装飾部は、前記第２の板状体の外面の中央部に付着して設けられ、文字、記号または図形をかたどったシート状体と、前記第２の板状体の内面全体に蒸着を施してなる蒸着部と、前記蒸着部の全部を覆うように該蒸着部に重なって印刷され、前記蒸着部の裏打ちとして機能する内板印刷部とで構成され、
前記粘着体は、前記第１の板状体の縁部に沿ってリング状に配置されており、その周方向の一部が欠損した欠損部を有し、当該粘着体を前記第１の板状体側から見たとき前記第２の印刷部で覆い隠されていることを特徴とする。
これにより、第１の板状体と第２の板状体とを接合したときの接合箇所を正確に定めることができ、かつ、簡単な方法で両板状体が確実に接合された装飾品を提供することができる。
【０００６】
本発明の装飾品では、前記粘着体は、前記シート状体を囲っており、
前記粘着体の厚さは、前記シート状体の厚さより厚いことが好ましい。
本発明の装飾品では、前記第１の印刷部は、前記第１の板状体と同心的に印刷された円形の第１の円と、該第１の円と同心的に印刷され、前記第１の円より大径の第２の円と、該第２の円の外周に沿って印刷された文字群とで構成されていることが好ましい。
【０００７】
本発明の装飾品では、前記第１の印刷部の色は銀色であり、前記第２の印刷部の色は黒色であることが好ましい。
本発明の装飾品では、前記蒸着部は、模様であることが好ましい。
本発明の装飾品では、前記蒸着部の色は銀色であり、前記内板印刷部の色は黒色であることが好ましい。
本発明の装飾品では、前記第１の板状体および／または前記第２の板状体は、主として、ガラスまたはプラスチックで構成されていることが好ましい。
これにより、第１の板状体と第２の板状体とに囲まれた空間内を視認することができる。
【０００８】
本発明の装飾品では、前記粘着体は、両面粘着テープで構成されていることが好ましい。
これにより、装飾品を製造する際の作業性（生産性）が向上する。
本発明の装飾品では、前記第１の板状体と前記第２の板状体との間隙距離は、前記第１の板状体または前記第２の板状体の厚さの２倍以下であることが好ましい。
これにより、装飾品の総厚が必要最小限の厚さで済み、装飾品の大きさや重量を小さくすることができる。
【０００９】
本発明の装飾品では、前記第１の板状体は、レンズとしての機能を有し、
前記第１の板状体を介して前記装飾部および前記内板装飾部が拡大して視認されることが好ましい。
本発明の時計用裏蓋は、本発明の装飾品を備えたことを特徴とする。
これにより、第１の板状体と第２の板状体とを接合したときの接合箇所を正確に定めることができ、かつ、簡単な方法で両板状体が確実に接合された装飾品を備えた時計用裏蓋を提供することができる。
本発明の時計は、本発明の時計用裏蓋を備えたことを特徴とする。
これにより、第１の板状体と第２の板状体とを接合したときの接合箇所を正確に定めることができ、かつ、簡単な方法で両板状体が確実に接合された時計用裏蓋を備えた時計を提供することができる。
【発明の効果】
【００１０】
本発明によれば、第１の板状体と第２の板状体とを接合したときの接合箇所を正確に定めることができ、かつ、簡単な方法で両板状体が確実に接合された装飾品および時計用裏蓋を提供すること、また、前記時計用裏蓋を備えた時計を提供することができる。
【発明を実施するための最良の形態】
【００１１】
以下、本発明の装飾品、時計用裏蓋および時計を添付図面に示す好適な実施形態に基づいて詳細に説明する。なお、本実施形態では、本発明の時計を腕時計に適用した場合の実施形態となっている。
＜第１実施形態＞
図１は、本発明の時計用裏蓋（第１実施形態）を備えた腕時計の概略斜視図、図２は、図１中のＡ−Ａ線断面図、図３は、図２中の二点鎖線で囲まれた領域［Ａ］の拡大詳細図、図４は、図１に示す時計用裏蓋（装飾品）の分解斜視図、図６〜図９は、それぞれ、本発明の装飾品が有する粘着体おける他の形状を示した平面図である。なお、以下では、説明の都合上、図１〜図４（図５も同様）の上側を「上」または「上方」、下側を「下」または「下方」と言う。
【００１２】
図１および図２に示すように、機械式腕時計（時計）１（以下、単に「時計」という）は、外装部（ケース）２と、外装部２の内部に設置（収納）され、時計用針３１を駆動するムーブメント３と、時計１を腕に装着する際に用いられるバンド４を備えている。
図１（図２）に示すように、外装部２は、胴部２３と、ガラス板（カバーガラス）２１と、ガラス板２１を保持するベゼル２２と、胴部２３の裏側に設置される時計用裏蓋（装飾品）５（以下、単に「裏蓋」という）とを有している。
【００１３】
図２に示す胴２３には、巻真パイプ２６が嵌入され、この巻真パイプ２６に、りゅうず２４が回転可能に設けられている。りゅうず２４を回転させることにより、そのトルクがシャフト２７を介して、ムーブメント３に伝わる。これにより、時計用針３１を調整することができる、すなわち、表示する時刻を調整することができる。
胴２３とベゼル２２とは、互いにプラスチックパッキン２８により固定され、ベゼル２２とガラス板２１とは、互いにプラスチックパッキン２９により固定されている。
また、胴２３に対し裏蓋５が嵌合（または螺合）されており、これらの接合部（シール部）５０には、リング状のゴムパッキン（裏蓋パッキン）４０が圧縮状態で介挿されている。この構成によりシール部５０が液密に封止され、防水機能が得られる（図２、図３参照）。
【００１４】
図２に示す裏蓋（装飾品）５は、外板（第１の板状体）６および内板（第２の板状体）７と、外板６を保持する保持枠８と、粘着性を有する粘着体１１とを備えている。
図４に示すように、外板６は、その全体が実質的に透明なものである。ここで、「実質的に透明」とは、可視光の透過度が８５％以上程度の透明性を有するものをいう。また、「実質的に透明」には、無色透明の他、有色（着色）透明も含まれる。
また、この外板６は、その形状が円板状をなしている。
【００１５】
外板６の好ましい構成材料としては、例えば、ガラス、プラスチックまたはそれらの複合材料が挙げられる。そのガラスの具体例としては、無アルカリガラス、ソーダガラス、結晶性ガラス、石英ガラス、鉛ガラス、カリウムガラス、ホウ珪酸ガラス等が挙げられる。
また、前記プラスチックの具体例としては、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、エポキシ樹脂、フェノール樹脂、ユリア樹脂、メラミン樹脂、不飽和ポリエステル、シリコーン樹脂、ポリウレタン等、またはこれらを主とする共重合体、ブレンド体、ポリマーアロイ等が挙げられ、これらのうちの１種または２種以上を組み合わせて用いることができる。
このような構成の外板６により、例えば、ムーブメント３、後述する装飾部９および内板装飾部１０を外板６を通して視認することができる。また、時計１の審美性（美的外観）が得られる。
【００１６】
図２に示すように、保持枠８は、その形状がリング状をなしており、内周部８１に段差部８２を有している。この段差部８２は、内周部８１の内径より縮径して、内周部８１の内周８１１に沿って形成されている。すなわち、段差部８２は、形状がリング状をなしており、内周部８１に形成されている。
図３に示すように、段差部８２の下面８２１には、外板６の上面（内面）６１の縁部６１１が当接している。また、下面８２１の下側には、圧縮状態のリング状のプラスチックパッキン５１が設けられ、このプラスチックパッキン５１を介して外板６が保持枠８に固定されている。これにより、保持枠８と外板６との隙間が液密に封止され、防水機能が得られる。
【００１７】
なお、保持枠８の構成材料としては、特に限定されないが、例えば、各種金属材料や各種プラスチック等を単独または組み合わせて用いることができる。
また、保持枠８の下面８３と段差部８２の下面８２１との距離（図３中のｈ１で示す長さ）は、外板６の厚さ（図３中のｔ１で示す長さ）とほぼ同等またはそれより若干小さいのが好ましい。
【００１８】
図４に示すように、内板７は、その全体が実質的に透明なものである。これにより、例えば、ムーブメント３や内板装飾部１０を視認することができる。また、時計１の審美性（美的外観）が得られる。また、空間５２に奥行きが生じたように視認することができる。
また、内板７は、大きさ（外径）が外板６とほぼ同等である。これにより、外板６と内板７とで囲まれた空間５３の大きさを大きくすることができ、よって、空間５３内に装飾部９を設けるのが容易となる。
また、この内板７は、その形状が円板状をなしている。
【００１９】
このような内板７は、外板６の上面６１と、段差部８２の内周面（側面）８２２と、ムーブメント３の下面３２とで囲まれた空間５２内に、外板６とほぼ平行に設置されている（図３、図４参照）。
また、内板７は、粘着体１１を介して外板６に接合（固定）されている。これにより、その固定状態で裏蓋５を組み立てることができるため、空間５２内（裏蓋５）に内板７を簡単に設置することができる。
【００２０】
このように空間５２内に内板７が設置されていることにより、外装部２の総厚が必要最小限の厚さで済み、外装部２の大きさや重量を小さくすることができる。
なお、この内板７の好ましい構成材料としては、例えば、外板６で挙げたのと同様の材料を用いることができる。
また、内板７の外径は、段差部８２の内周面８２２の内径より若干小さいのが好ましい。これにより、内板７を空間５２内により確実に設置することができる。
【００２１】
また、内板７は、その全体が透明である場合に限定されず、部分的に透明であってもよい。内板７が部分的に透明である場合、その透明な部分（箇所）は、例えば、ムーブメント３または後述する内板装飾部１０対応する箇所とすることができる。
また、外板６と内板７との間隙（空間５３）の距離（高さ）は、特に限定されないが、２ｔ１以下であるのが好ましく、ｔ１／３以下であるのがより好ましい。これにより、外板６の下面６２から内板７の上面７２までの厚さ（装飾品の総厚）が必要最小限の厚さで済み、時計１（外装部２）の大きさや重量を小さくすることができる。
【００２２】
また、内板７と後述する装飾部９との総厚（図３中のｔ２で示す長さ）は、段差部８２の厚さ（高さ（図３中のｈ２で示す長さ））とほぼ同等またはそれより若干小さいのが好ましい。これにより、内板７の上部が空間５２におけるムーブメント３側の空間５２１に入り込むのを防止することができ、よって、ムーブメント３の設置を妨げるのを防止することができる。
また、総厚ｔ２が厚さｈ２より大きい（厚さｈ２を越える）場合でも、厚さｈ２を越えた分の厚さ（高さ（図３中のｈ３で示す長さ））は、ｈ２／５以下であるのが好ましく、ｈ２／１０以下であるのがより好ましい。これにより、高さ（厚さ）ｈ３を規制することができ、よって、ムーブメント３の設置を妨げるのを防止することができる。
【００２３】
図４に示すように、粘着体（粘着シート）１１は、シート状をなし、その平面形状が形状がＣ字状をなしている。この粘着体１１は、外板６の上面６１の縁部６１１付近と内板７の下面７１の縁部７１１付近との間に介挿（設置）されている（図３参照）。このように粘着体１１が縁部６１１、７１１付近に設置されていることにより、空間５３の大きさを大きくすることができ、よって、この空間５３内に装飾部９または内板装飾部１０を容易に設置することができる。
【００２４】
また、粘着体１１がＣ字状をなしていることにより、外板６の縁部６１１および内板７の縁部７１１付近の一部に、粘着体１１が設けられていない（欠損している）箇所（欠損部１１１）が形成される。これにより、欠損部１１１を介して空間５３が裏蓋５の外側と連通することができ、よって、外板６と内板７とを接合するとき、空間５３内の空気（気体）を欠損部１１１を介して裏蓋５の外側に容易に抜くことができる。
また、粘着体１１の好ましい構成材料としては、例えば、両面粘着テープ（以下、単に「両面テープ」という）が挙げられる。両面テープは、入手が容易であり、安価であるため、裏蓋（装飾品）５を製造するに際し有効である。また、両面テープは、その形状を任意の形状に容易に設定することができる。
【００２５】
また、外板６と内板７とを接合するには、まず、両面テープに付着している一方の剥離シートを剥がす。次に、両面テープの粘着面を外板６の上面６１に貼り付ける。次に、他方の剥離シートを剥がす。次に、内板７の下面７１を両面テープの粘着面に貼り付け、外板６と内板７とを接合する。このように、両面粘着テープは、外板６と内板７とを容易（簡単）、かつ正確に接合することができる。
【００２６】
また、粘着体１１の厚さは、特に限定されないが、シート状体１０１の厚さより厚いのが好ましく、０．０５〜０．１ｍｍであるのがより好ましい。これにより、既存の部品加工によって、粘着体１１を容易に製作することができ、かつ、粘着体１１と外板６との干渉を防止することができ、シート状体１０１の外観を良好にすることができる。また、時計１の厚さを必要以上に厚くするのを防止することができる。
【００２７】
従来では、例えば接着剤を用いて外板と内板とを接着（接合）した場合、外板と内板との押圧により、板同士の間隙に充填した接着剤が必要以上に（過剰に）広がり、前記間隙から接着剤がはみ出していた。また、接着剤の接着状態（広がり具合）によっては、接着が不十分な箇所が生じ、これらの板が互いに離間（剥離）することがあった。また、外板と内板とを接合するには、接着剤を乾燥させなければならず、従って、時計を製造するときの作業性（生産性）が低下していた。
【００２８】
これに対し、本発明では、外板６と内板７との接合箇所を正確に定めることができ、かつ、簡単な方法で外板６と内板７とを確実に接合することができる。また、外板６と内板７との接合後、即座に裏蓋５を時計１に組み込むことができ、よって、時計１を製造するときの作業性（生産性）が向上する。
以上述べたように、本発明では、かかる従来の問題点が解消される。
【００２９】
図３に示すように、外板６と内板７との間には、時計１（裏蓋５）の下側から外板６を介して視認される装飾部９が設けられている。この装飾部９は、外板６の上面６１に印刷を施してなる第１の印刷部９１および第２の印刷部９２で構成されている（図４参照）。
図４に示すように、第１の印刷部９１は、上面６１の縁部６１１に沿って、周方向に印刷を施すことにより構成されている。この第１の印刷部９１における印刷内容は、外板６（上面６１）と同心的に印刷された（設けられた）円形の第１の円９１１と、第１の円９１１と同心的に印刷され、第１の円９１１より大径の第２の円９１２と、第２の円９１２の外周に沿って印刷された文字群９１３（例えば、アルファベット、数字またはそれらの組み合わせ等）とである。
【００３０】
第２の印刷部９２は、リング状をなし、第１の印刷部９１のほぼ全部を覆うように、第１の印刷部９１に重なって印刷されている（図３、図４参照）。
また、この第２の印刷部９２は、第１の印刷部９１の裏打ちとして機能している。なお、ここで、裏打ちとは、第１の印刷部９１の印刷内容が鮮明に視認されるように作用することである。この裏打ちの具体的な方法としては、例えば、第１の印刷部９１が銀色のインクで印刷されている場合には、第２の印刷部９２を黒色のインクで印刷するという方法が挙げられる。これにより、第１の印刷部９１の印刷内容が鮮明に視認される。
【００３１】
また、第２の印刷部９２（装飾部９）は、粘着体１１のほぼ全部を覆うように、粘着体１１と外板６の上面６１との間に設けられている。これにより、粘着体１１が外板６を介して視認されるのを防止することができ、よって、時計１（装飾品）の審美性をより高めることができる。
このような構成の装飾部９により、時計１の審美性を高めることができる。
また、文字群９１３が表示する表示内容としては、特に限定されないが、例えば、時計１を製造した製造元の名称（例えば、メーカ名、ブランド名）、時計１の製造番号、時計１の仕様（例えば、防水性を有しているか否か）等が挙げられる。
【００３２】
図３に示すように、内板７の下面（外面）７１と上面（内面）７２とには、内板装飾部１０が設けられて（付されて）いる。この内板装飾部１０は、シート状体１０１と、蒸着を施してなる蒸着部１０２と、印刷を施してなる内板印刷部（印刷部）１０３とで構成されている（図４参照）。
図４に示すように、シート状体１０１は、文字（本実施形態では、アルファベットの「Ａ」）をかたどったものであり、内板７の下面７１に付着して（設けられて）いる。
【００３３】
なお、この付着方法としては、特に限定されないが、例えば、接着剤による接着や粘着材による接着が挙げられる。
また、このシート状体１０１の構成材料としては、特に限定されないが、たとえば、各種金属材料や各種プラスチック等を単独または組み合わせて用いることができる。
また、このシート状体１０１の形成方法（成形方法）としては、特に限定されないが、例えば、打抜き、電鋳、切り抜き、成形型などが挙げられる。
【００３４】
図４に示すように、蒸着部１０２は、内板７の上面７２のほぼ全面に設けられて（蒸着されて）いる。この蒸着部１０２により、内板７の上面７２に模様１０２ａ（本実施形態では、アラベスク）を施すことができる。
内板印刷部１０３は、蒸着部１０２のほぼ全部を覆うように、蒸着部１０２に重なって設けられて（印刷されて）いる（図３、図４参照）。
【００３５】
また、この内板印刷部１０３は、蒸着部１０２の裏打ちとして機能している。なお、ここで、裏打ちとは、蒸着部１０２による模様１０２ａが鮮明に視認されるように作用することである。この裏打ちの具体的な方法としては、例えば、蒸着部１０２の色が銀色である場合には、内板印刷部１０３を黒色のインクで印刷するという方法が挙げられる。これにより、蒸着部１０２の模様１０２ａが外板６および内板７を介して透けて視認されるのを防止することができ、よって、模様１０２ａが鮮明に視認される。
このような構成の内板装飾部１０により、シート状体１０１を立体的に視認することができる、すなわち、シート状体１０１が空間５２内で浮いたように視認することができる。また、これにより、時計１の審美性をより高めることができる。
【００３６】
以上のような構成により、外板６と内板７とを接合したときの接合箇所を正確に定めることができ、かつ、簡単な方法で外板６と内板７とが確実に接合された時計１（裏蓋５）を提供することができる。
なお、ムーブメント３（時計１）は、機械式であるのに限定されず、クオーツであってもよい。
【００３７】
＜第２実施形態＞
図５は、本発明の時計用裏蓋（第２実施形態）の分解斜視図である。
以下、この図を参照して本発明の時計用裏蓋の第２実施形態について説明するが、前述した実施形態との相違点を中心に説明し、同様の事項はその説明を省略する。
本実施形態は、内板の形態および内板装飾部の構成が異なること以外は前記第１実施形態と同様である。
【００３８】
図５に示す内板７Ａは、それを介して、例えばムーブメント３を視認するのが困難な程度に不透明なものである。
図５に示す内板装飾部１０Ａは、シート状体１０１で構成されている。このシート状体１０１は、内板７Ａの下面７１に付着して（設けられて）いる。
内板７Ａが不透明、すなわち、外板６のみが透明である場合は、内板７Ａの下面７１または下面７１に付された内板装飾部１０Ａ（シート状体１０１）を視認することができる。
【００３９】
以上、本発明の時計用裏蓋および時計を図示の実施形態について説明したが、本発明は、これに限定されるものではなく、時計用裏蓋および時計を構成する各部は、同様の機能を発揮し得る任意の構成のものと置換することができる。また、任意の構成物が付加されていてもよい。
また、ムーブメント（腕時計）は、機械式でもクオーツでもどちらでもよいが、機械式の場合には、外板および内板が透明であるため、スケルトンとしての機能を発揮させることができる。
【００４０】
また、時計の好ましい形態としては、腕時計であるのに限定されず、例えば、懐中時計、置き時計、吊り下げ時計であってもよい。
また、透明な外板は、その内面または外面が図示のように平面であるのに限定されず、例えば、湾曲凹面または湾曲凸面であってもよい。これにより、外板にレンズとしての機能を持たせることができる。
【００４１】
また、このとき、外板におけるレンズの機能を有する箇所は、外板のほぼ全面にわたって設けられていてもよいし、外板に部分的に設けられていてもよい。レンズの機能を有する箇所が外板に部分的に設けられている場合、その箇所は、例えば、内板にシート状体を設けた箇所に対応する箇所とすることができる。
外板の全面または一部にレンズの機能を持たせた場合には、レンズにより視認される箇所（例えば、シート状体）を強調（見易く）することができる。
【００４２】
また、外板は、その全体が透明である場合に限定されず、部分的に透明であってもよい。外板が部分的に透明である場合、その透明な部分（箇所）は、例えば、内板にシート状体を設けた箇所に対応する箇所とすることができる。また、外板が部分的に透明であるとき、それ以外の部分は、例えば、不透明または半透明であってもよい。
また、粘着体は、外板と内板とを接合する機能（粘着性）を有するのに限定されず、例えば、粘着体に装飾（例えば、着色）を施して、装飾性も有するよう構成されていてもよい。
【００４３】
また、粘着体は、Ｃ字状のもので構成されているのに限定されず、例えば、図６に示すように、２つの半円弧状のものが配置されるよう構成されていてもよいし、図７に示すように、それぞれ湾曲をなす２つの長尺状（短冊状）のものが配置されるよう構成されていてもよいし、図８、図９に示すように、外板または内板の周方向に沿って等間隔に複数（図８中では４つ、図９中では１６個）のものが配置されるよう構成されていてもよい。
【００４４】
また、装飾部は、外板の上面に印刷を施すことにより構成されているに限定されず、例えば、内板装飾部（蒸着部）のように蒸着を施すことにより構成されていてもよいし、宝石や鉱石等を設置（配置）することにより構成されていてもよいし、それらを組み合わせて構成されていてもよい。
また、外板と内板との接合では、両面粘着テープを用いるのに限定されず、例えば、接着剤を用いてもよい。
また、第１の印刷部における印刷内容は、文字、図形であるのに限定されず、例えば、記号であってもよい。
【００４５】
また、内板装飾部は、シート状体、蒸着部および内板印刷部を有しているのに限定されず、例えば、これら３つの部位のうちの１つまたは２つの部位で構成されていてもよいし、宝石や鉱石等を設置（配置）する（散りばめる）ことにより構成されていてもよいし、それらを組み合わせて構成されていてもよい。
また、シート状体は、文字をかたどったものであるのに限定されず、例えば、記号、図形であってもよい。
また、蒸着部は、内板の内面に設けられているのに限定されず、内板の外面に設けられていてもよいし、内板の両面にそれぞれ設けられていてもよい。
【図面の簡単な説明】
【００４６】
【図１】本発明の時計用裏蓋（第１実施形態）を備えた腕時計の概略斜視図である。
【図２】図１中のＡ−Ａ線断面図である。
【図３】図２中の二点鎖線で囲まれた領域［Ａ］の拡大詳細図である。
【図４】図１に示す時計用裏蓋（装飾品）の分解斜視図である。
【図５】本発明の時計用裏蓋（第２実施形態）の分解斜視図である。
【図６】本発明の装飾品が有する粘着体おける他の形状を示した平面図である。
【図７】本発明の装飾品が有する粘着体おける他の形状を示した平面図である。
【図８】本発明の装飾品が有する粘着体おける他の形状を示した平面図である。
【図９】本発明の装飾品が有する粘着体おける他の形状を示した平面図である。
【符号の説明】
【００４７】
１……時計（腕時計）  ２……外装部  ２１……ガラス板（カバーガラス）  ２２……ベゼル  ２３……胴部  ２４……りゅうず  ２６……巻真パイプ  ２７……シャフト  ２８、２９……プラスチックパッキン  ３……ムーブメント  ３１……時計用針  ３２……下面  ４……バンド  ５……裏蓋（時計用裏蓋）  ５１……プラスチックパッキン  ５２……空間  ５２１……空間  ５３……空間  ６……外板（第１の板状体）  ６１……上面（内面）  ６１１……縁部  ６２……下面  ７、７Ａ……内板（第２の板状体）  ７１……下面（外面）  ７１１……縁部  ７２……上面（内面）  ８……保持枠  ８１……内周部  ８１１……内周  ８２……段差部  ８２１……下面  ８２２……内周面（側面）  ８３……下面  ９……装飾部  ９１……第１の印刷部  ９１１……第１の円  ９１２……第２の円  ９１３……文字群  ９２……第２の印刷部  １０、１０Ａ……内板装飾部  １０１……シート状体  １０２……蒸着部  １０２ａ……模様  １０３……内板印刷部（印刷部）  １１……粘着体  １１１……欠損部  ４０……ゴムパッキン（裏蓋パッキン）  ５０……接合部（シール部）
【図１】
0004639626.tif 000002
【図２】
0004639626.tif 000003
【図３】
0004639626.tif 000004
【図４】
0004639626.tif 000005
【図５】
0004639626.tif 000006
【図６】
0004639626.tif 000007
【図７】
0004639626.tif 000008
【図８】
0004639626.tif 000009
【図９】
0004639626.tif 000010